(57)【要約】【課題】出没式筆記具において、筆記具レフィルの没入時の衝撃を十分に吸収でき、しかも、製造ばらつきや使用環境の変化によっても一定の衝撃吸収性能が得られる。【解決手段】ペン先没入時の筆記具レフィル３の後方移動のスピードを抑えるエアダンパー機構６を軸筒２内に設ける。エアダンパー機構６が、筆記具レフィル３後方の軸筒２内に設けられる容積可変のエアダンパー空間７と、エアダンパー空間７の内部と外部との間を空気流通させる空気孔８とからなる。エアダンパー空間７が、摺動部材５に形成されたピストン部７２と、軸筒２内に形成され、ピストン部７２が密接摺動するシリンダー部７１とからなる。筆記具レフィル３の後方移動に伴いエアダンパー空間７の容積が減少し、エアダンパー空間７の内圧が一時的に上昇する。【選択図】  図１
2005131942.tif 000002
【特許請求の範囲】
【請求項１】
軸筒内に筆記具レフィルを前後方向に移動可能に収容し、前記筆記具レフィルを弾発体により後方付勢し、軸筒外面より突出する押圧部を前方へ押圧操作することにより、前記弾発体の後方付勢に抗して筆記具レフィルを前方に移動させ、筆記具レフィルのペン先を軸筒の先端から突出させ、一方、ペン先突出状態の解除により、筆記具レフィルを後方移動させ、筆記具レフィルのペン先を軸筒内に没入させる出没式筆記具であって、
ペン先没入時の筆記具レフィルの後方移動のスピードを抑えるエアダンパー機構を軸筒内に設けたことを特徴とする出没式筆記具。
【請求項２】
前記エアダンパー機構が、筆記具レフィル後方の軸筒内に設けられる容積可変のエアダンパー空間と、前記エアダンパー空間の内部と外部との間を空気流通させる空気孔とからなり、筆記具レフィルの後方移動に伴い前記エアダンパー空間の容積が減少し、前記エアダンパー空間の内圧が一時的に上昇してなる請求項１記載の出没式筆記具。
【請求項３】
軸筒内に、筆記具レフィルの後端に当接し且つ前記押圧部と連動する摺動部材を収容し、前記エアダンパー空間が、前記摺動部材に形成されたピストン部と、前記軸筒内に形成され、前記ピストン部が密接摺動するシリンダー部とからなる請求項２記載の出没式筆記具。
【発明の詳細な説明】
【技術分野】
【０００１】
本発明は、出没式筆記具に関する。詳細には、弾発体の後方付勢に抗して前方へ押圧操作することにより筆記具レフィルを前方に移動させ、ペン先を軸筒の先端から突出させ、一方、ペン先突出状態の解除により、筆記具レフィルを後方移動させ、筆記具レフィルのペン先を軸筒内に没入させる出没式筆記具に関する。
【背景技術】
【０００２】
従来、この種の出没式筆記具において、例えば、筆記具レフィルが軸筒内に没入する際の衝撃を吸収するものとして、例えば、特許文献１には、筆記具レフィルの後端が衝合するノック部の衝接部に弾性体を設ける構成が開示されている。また、特許文献２には、軸筒とノック体との間に摩擦発生体を設けることが開示されている。
【０００３】
前記特許文献１の弾性体によるものは、筆記具レフィルが軸筒内に没入する際、十分に衝撃を吸収することができない。その結果、インキが逆流してペン先より空気が混入し、筆跡がかすれるおそれがある。また、特許文献２の摩擦発生体によるものは、製造時の寸法ばらつきや、筆記使用する環境（例えば温度や湿度）の変化により、一定の摩擦抵抗（即ち一定の衝撃吸収性能）を得ることが困難である。
【特許文献１】特許第３１９７４４４号
【特許文献２】特許第２５５１８１０号
【発明の開示】
【発明が解決しようとする課題】
【０００４】
本発明は前記従来の問題点を解決するものであって、筆記具レフィルの没入時の衝撃を十分に吸収することができ、しかも、製造ばらつきや使用環境の変化によっても一定の衝撃吸収性能が得られる出没式筆記具を提供しようとするものである。
【課題を解決するための手段】
【０００５】
〔１〕本発明は、軸筒２内に筆記具レフィル３を前後方向に移動可能に収容し、前記筆記具レフィル３を弾発体４により後方付勢し、軸筒２外面より突出する押圧部５１を前方へ押圧操作することにより、前記弾発体４の後方付勢に抗して筆記具レフィル３を前方に移動させ、筆記具レフィル３のペン先を軸筒２の先端から突出させ、一方、ペン先突出状態の解除により、筆記具レフィル３を後方移動させ、筆記具レフィル３のペン先を軸筒２内に没入させる出没式筆記具１であって、ペン先没入時の筆記具レフィル３の後方移動のスピードを抑えるエアダンパー機構６を軸筒２内に設けたこと（請求項１）を要件とする。
【０００６】
〔２〕前記請求項１の出没式筆記具１において、前記エアダンパー機構６が、筆記具レフィル３後方の軸筒２内に設けられる容積可変のエアダンパー空間７と、前記エアダンパー空間７の内部と外部との間を空気流通させる空気孔８とからなり、筆記具レフィル３の後方移動に伴い前記エアダンパー空間７の容積が減少し、前記エアダンパー空間７の内圧が一時的に上昇してなること（請求項２）が好ましい。
【０００７】
〔３〕前記請求項２の出没式筆記具１において、軸筒２内に、筆記具レフィル３の後端に当接し且つ前記押圧部５１と連動する摺動部材５を収容し、前記エアダンパー空間７が、前記摺動部材５に形成されたピストン部７２と、前記軸筒２内に形成され、前記ピストン部７２が密接摺動するシリンダー部７１とからなること（請求項３）が好ましい。
【発明の効果】
【０００８】
請求項１により、筆記具レフィルの没入時の衝撃を十分に吸収することができ、しかも、製造ばらつきや使用環境の変化によっても一定の衝撃吸収性能が得られる。
【０００９】
請求項２により、エアダンパー空間を軸筒内部に簡易な構造により容易に設けることができる。
【００１０】
請求項３により、エアダンパー空間を設けるための部品点数の増加を抑えることができる。
【発明を実施するための最良の形態】
【００１１】
本発明を実施するための最良の形態を、以下、図面に従って説明する。
【実施例１】
【００１２】
図１に本発明の第１実施例を示す。
本実施例の出没式筆記具１は、軸筒２と、軸筒２内に前後方向に移動可能に収容した筆記具レフィル３と、軸筒２内の前部に収容され、前記筆記具レフィル３を後方付勢する弾発体４と、軸筒２内の後部に収容され、前記筆記具レフィル３とともに前後方向に移動可能な摺動部材５とからなる。
【００１３】
軸筒２の先端には先端孔２１が貫設され、前記先端孔２１より筆記具レフィル３のペン先３１が突出される。また、前記軸筒２の後端には、後端孔２２が貫設され、前記後端孔２２より押圧部５１が突出される。また、軸筒２の側壁には、係止孔２３が貫設され、前記係止孔２３に、摺動部材５の係止部５２が係止される。
【００１４】
筆記具レフィル３は、ボールペンレフィル、マーキングペンレフィル等、いずれであってもよい。本実施例では、先端にボールを回転可能に抱持したボールペンチップよりなるペン先３１と、該ペン先３１が先端部に取り付けられ、内部にインキと該インキの消費に伴い前進する追従体とを収容したインキ収容筒とからなるボールペンレフィルが採用される。
【００１５】
前記弾発体４は、圧縮コイルスプリングよりなる。前記弾発体４の先端は、軸筒２の先端部内壁に係止されるとともに、後端が筆記具レフィル３外面の段部に係止される。
【００１６】
前記摺動部材５は、軸方向に空気孔８が貫設された鍔状のピストン部７２と、前記ピストン部７２の後面より後方に突出する棒状の押圧部５１と、前記ピストン部７２前面より前方に突出する支持部５３と、該支持部５３より径方向外方に延設され、弾性変形可能な係止部５２とからなる樹脂成形体である。前記ピストン部７２の外周面は、軸筒２の内周面（シリンダー部７１の内周面）と軸方向に密接摺動される。前記係止部５２は、軸筒２の係止孔２３に係止されるとともに、前記係止孔２３より外部へ僅かに突出される。前記支持部５３は、筆記具レフィル３の後端と当接される。前記摺動部材５及び前記筆記具レフィル３は、軸筒２内において弾発体４により後方に付勢されている。
【００１７】
ペン先没入状態にある出没式筆記具１の押圧部５１を、弾発体４の後方付勢に抗して前方へ押圧操作すると、摺動部材５が前方に移動するとともに、筆記具レフィル３が前方に移動し、軸筒２の先端孔２１から筆記具レフィル３のペン先３１が外部に突出される。その時、摺動部材５の係止部５２が軸筒２の係止孔２３に係止されると同時に、前記係止部５２が外方に弾性変形して係止孔２３から外部に僅かに突出され、前記ペン先突出状態が維持される。
【００１８】
ペン先突出状態にある出没式筆記具１の係止部５２を径方向内方へ押圧操作すると、係止部５２が内方に弾性変形して軸筒２内に没入し、係止孔２３と係止部５２との係止状態が解除される。それとともに、弾発体４の後方付勢により摺動部材５及び筆記具レフィル３が後方移動し、ペン先３１が先端孔２１より軸筒２内に没入される。
【００１９】
エアダンパー機構６は、筆記具レフィル３後方の軸筒２内に設けられる容積可変のエアダンパー空間７と、該エアダンパー空間７の内部と外部との間を空気流通させる空気孔８とからなる。前記エアダンパー空間７は、軸筒２内面と一体に形成されたシリンダー部７１（即ち軸筒２の後端部の周壁及び底壁とからなるシリンダー部７１）と、前記摺動部材５に形成されたピストン部７２とからなる。前記ピストン部７２の外周面は、シリンダー部７１の内周面と密接摺動される。
【００２０】
ペン先没入時、筆記具レフィル３の後方移動に伴い、ピストン部７２が後方に移動し、前記エアダンパー空間７の容積が減少し、一時的にエアダンパー空間７の空気が圧縮され、その圧縮空気が空気孔８を介してエアダンパー空間７の外部へ放出される。前記空気孔８は、エアダンパー空間７の内部から外部への空気流通を抑制できるよう、その大きさが設定される。それにより、筆記具レフィル３の後方移動のスピードが弱められ、筆記具レフィル３のペン先没入時の衝撃を吸収することができる。
【００２１】
前記エアダンパー機構６により、製造ばらつきや使用環境に影響されないペン先没入時の十分な衝撃吸収性能を得る。また、前記エアダンパー空間７を筆記具レフィル３後方の軸筒２内に設けたことにより、エアダンパー空間７を簡易な構造により容易に設けることができる。もし、エアダンパー空間７を筆記具レフィル３の前方の軸筒２内に設ける場合、構造が複雑となり、製造が容易ではない。また、前記ピストン部７２が摺動部材５と一体に形成されるため、エアダンパー空間７を設けるための部品点数の増加を抑えることができる。さらに、本実施例では、摺動部材５に、押圧部５１及び係止部５２が一体に形成されているため、より一層、部品点数の増加を抑えることができる。
【実施例２】
【００２２】
図２に本発明の第２実施例を示す。
本実施例の出没式筆記具１は、軸筒２と、軸筒２内に前後方向に移動可能に収容した筆記具レフィル３と、軸筒２内の前部に収容され、前記筆記具レフィル３を後方付勢する弾発体４と、軸筒２内の後部に収容され、前記筆記具レフィル３とともに前後方向に移動可能な摺動部材５とからなる。
【００２３】
軸筒２の先端には先端孔２１が貫設され、前記先端孔２１より筆記具レフィル３のペン先３１が突出される。また、前記軸筒２の後部側壁には、スライド孔２４が貫設され、前記スライド孔２４より径方向外方に押圧部５１が突出される。また、前記スライド孔２４より前方の軸筒２の側壁には、係止孔２３が貫設され、前記係止孔２３に、摺動部材５の係止部５２が係止される。
【００２４】
筆記具レフィル３は、ボールペンレフィル、マーキングペンレフィル等、いずれであってもよい。本実施例では、先端にボールを回転可能に抱持したボールペンチップよりなるペン先３１と、該ペン先３１が先端部に取り付けられ、内部にインキと該インキの消費に伴い前進する追従体とを収容したインキ収容筒とからなるボールペンレフィルが採用される。      
【００２５】
前記弾発体４は、圧縮コイルスプリングよりなる。前記弾発体４の先端は、軸筒２の先端部内壁に係止されるとともに、後端が筆記具レフィル３外面の段部に係止される。
【００２６】
前記摺動部材５は、軸方向に空気孔８が貫設された鍔状のピストン部７２と、前記ピストン部７２の前面より前方に延設される脚片５４と、該脚片５４より径方向外方に突出される押圧部５１と、該押圧部５１より前方の脚片５４より径方向外方に連設される係止部５２と、前記ピストン部７２の前面より前方に延設される支持部５３とからなる樹脂成形体である。前記ピストン部７２の外周面は、軸筒２の内周面（シリンダー部７１の内周面）と軸方向に密接摺動される。前記係止部５２は、軸筒２の係止孔２３に係止されるとともに、前記係止孔２３より外部へ僅かに突出される。前記支持部５３は、筆記具レフィル３の後端と当接される。前記摺動部材５及び前記筆記具レフィル３は、軸筒２内において弾発体４により後方に付勢されている。
【００２７】
ペン先没入状態にある出没式筆記具１の押圧部５１を、弾発体４の後方付勢に抗して前方へ押圧操作（スライド操作）すると、摺動部材５が前方に移動するとともに、筆記具レフィル３が前方に移動し、軸筒２の先端孔２１から筆記具レフィル３のペン先３１が外部に突出される。その時、摺動部材５の係止部５２が軸筒２の係止孔２３に係止されると同時に、前記係止部５２が外方に弾性変形して係止孔２３から外部に僅かに突出され、前記ペン先突出状態が維持される。
【００２８】
ペン先突出状態にある出没式筆記具１の係止部５２を径方向内方へ押圧操作すると、係止部５２が内方に弾性変形して軸筒２内に没入し、係止孔２３と係止部５２との係止状態が解除される。それとともに、弾発体４の後方付勢により摺動部材５及び筆記具レフィル３が後方移動し、ペン先３１が先端孔２１より軸筒２内に没入される。
【００２９】
エアダンパー機構６は、筆記具レフィル３後方の軸筒２内に設けられる容積可変のエアダンパー空間７と、該エアダンパー空間７の内部と外部との間を空気流通させる空気孔８とからなる。前記エアダンパー空間７は、軸筒２内面と一体に形成されたシリンダー部７１（即ち軸筒２の後端部の周壁及び底壁とからなるシリンダー部７１）と、前記摺動部材５に形成されたピストン部７２とからなる。前記ピストン部７２の外周面は、シリンダー部７１の内周面と密接摺動される。
【００３０】
ペン先没入時、筆記具レフィル３の後方移動に伴い、ピストン部７２が後方に移動し、前記エアダンパー空間７の容積が減少し、一時的にエアダンパー空間７の空気が圧縮され、その圧縮空気が空気孔８を介してエアダンパー空間７の外部へ放出される。前記空気孔８は、エアダンパー空間７の内部から外部への空気流通を抑制できるよう、その大きさが設定される。それにより、筆記具レフィル３の後方移動のスピードが弱められ、筆記具レフィル３のペン先没入時の衝撃を吸収することができる。
【００３１】
前記エアダンパー機構６により、製造ばらつきや使用環境に影響されないペン先没入時の十分な衝撃吸収性能を得る。また、前記エアダンパー空間７を筆記具レフィル３後方の軸筒２内に設けたことにより、エアダンパー空間７を簡易な構造により容易に設けることができる。もし、エアダンパー空間７を筆記具レフィル３の前方の軸筒２内に設ける場合、構造が複雑となり、製造が容易ではない。また、前記ピストン部７２が摺動部材５と一体に形成されるため、エアダンパー空間７を設けるための部品点数の増加を抑えることができる。さらに、本実施例では、摺動部材５に、押圧部５１及び係止部５２が一体に形成されているため、より一層、部品点数の増加を抑えることができる。
【００３２】
尚、本発明で、空気孔８はピストン部７２に設ける構成（実施例１及び実施例２）の他にも、シリンダー部７１に設ける構成でもよいが、外部からエアダンパー空間７への埃の侵入を回避できる点から、ピストン部７２に設ける構成（実施例１及び実施例２）が好ましい。
【００３３】
尚、本発明で、シリンダー部７１は、軸筒２と一体に形成する構成（実施例１及び実施例２）の他にも、軸筒２内に取り付けた筒状の別部材により形成する構成でもよい。
【００３４】
尚、本発明で、ピストン部７２を備えた摺動部材５は、押圧部５１と一体に形成する構成（実施例１及び実施例２）の他にも、押圧部５１の前方に配置される、回転カム機構の回転子などの別部材でもよい。
【００３５】
尚、本発明で、軸筒２は、一つの部材で構成されたり、複数の部品（例えば先軸と後軸）により構成してもよい。
【図面の簡単な説明】
【００３６】
【図１】本発明の第１実施例を示す縦断面図である。
【図２】本発明の第２実施例を示す縦断面図である。
【符号の説明】
【００３７】
１  出没式筆記具
２  軸筒
２１  先端孔
２２  後端孔
２３  係止孔
２４  スライド孔
３  筆記具レフィル（ボールペンレフィル）
３１  ペン先
４  弾発体
５  摺動部材
５１  押圧部
５２  係止部
５３  支持部
５４  脚片
６  エアダンパー機構
７  エアダンパー空間
７１  シリンダー部
７２  ピストン部
８  空気孔
【図１】
2005131942.tif 000003
【図２】
2005131942.tif 000004